(57)【要約】【課題】テンプルを外広がり姿勢から開放姿勢にもどす付勢力を働かせることができるだけでなく、このテンプルの組み立てを容易に行うことができる眼鏡を提供する。【解決手段】テンプル側ヒンジ部５ｃに設けられ、テンプル３のスリーブ７の収容孔７ａに摺動可能に挿入されるアーム部８と、このアーム部８に基端が連結される棒状のロッド９と、このロッド９から抜けないように規制されたコイルスプリング１０と、このコイルスプリング１０の他方の端部に当接するスライダー１１と、スリーブ７とスライダー１１との間に設けられた抜け止め手段１２とを備え、テンプル３が開放姿勢からさらに外方に向けて回動した外広がり姿勢になった状態で、スリーブ７がスライダー１１を介してコイルスプリング１０を圧縮する。【選択図】図１
2008003138.tif 000002
【特許請求の範囲】
【請求項１】
一対のレンズと、これら一対のレンズを連結するブリッジと、このブリッジと反対側のレンズの各側部にそれぞれ設けられた一対のテンプルとを備えた眼鏡であって、
上記レンズの各側部にそれぞれ設けられた一対のテンプルベースと、
このテンプルベースに設けられたレンズ側ヒンジ部と、
このレンズ側ヒンジ部に対して連結軸を介して回動可能に連結されたテンプル側ヒンジ部と、
このテンプル側ヒンジ部に設けられ、テンプルの基部に設けられたスリーブの収容孔に摺動可能に挿入されるアーム部と、
このアーム部に基端が連結されるとともに、先端に拡径した頭部が設けられた棒状のロッドと、
このロッドの周囲に巻回されるようにして設けられるとともに、一方の端部がロッドの頭部に内側から当接してロッドから抜けないように規制されたコイルスプリングと、
このコイルスプリングの他方の端部に当接するとともに、ロッドに沿ってロッドの長手方向にスライド可能な筒状のスライダーと、
を備え、
上記テンプルの基部に設けられたスリーブは、ロッドと、コイルスプリングと、スライダーとをスリーブの収容孔に収納するとともに、このスリーブとスライダーとの間に設けられ、スリーブがアーム部から離脱することを規制する抜け止め手段を有し、
上記テンプルベースは、テンプルがレンズに対して略直交する方向に延びる開放姿勢にある状態で、テンプルの基端部に当接する当接部をレンズ側ヒンジ部とテンプル側ヒンジ部との間に設けられた連結軸の外方に有し、
テンプルがテンプルの基端部とテンプルベースの当接部との接点を中心にして開放姿勢からさらに外方に向けて回動した外広がり姿勢になった状態で、スリーブがロッドに対してロッドの先端方向に変位するとともにスライダーを介してコイルスプリングを圧縮するように構成されていることを特徴とする眼鏡。
【請求項２】
上記コイルスプリングは、テンプルが上記開放姿勢にあり、テンプルの基端部とテンプルベースの当接部とが当接した状態で、圧縮されてスライダーとスリーブとを介してテンプルの基端部をテンプルベースの当接部に押圧する付勢力を有するように構成されていることを特徴とする請求項１に記載の眼鏡。
【請求項３】
上記テンプル側ヒンジ部は、少なくともテンプルがレンズに向けて折り畳まれた折畳み姿勢の状態で、スリーブの端部に当接して、スリーブのテンプル側ヒンジ部の方向への変位を規制する規制部を有し、
上記コイルスプリングは、テンプルがこの折畳み姿勢の状態にあり、スリーブの端部がテンプル側ヒンジ部の規制部に規制された状態で、圧縮されてスライダーとスリーブとを介してスリーブの端部をテンプル側ヒンジ部の規制部に押圧する付勢力を有するように構成されていることを特徴とする請求項１または請求項２のいずれかに記載の眼鏡。
【請求項４】
上記抜け止め手段は、上記収容孔の内壁に設けられた抜け止め溝と、上記スライダーに設けられた突起部とが係合してスライダーがスリーブから離脱することを規制するものであり、
上記スライダーの突起部は、抜け止め溝に係合する突出姿勢と、構成する材料の弾性力に抗して内側に変形して、上記スリーブの収容孔に挿入可能な退避姿勢との間で変形可能に構成されていることを特徴とする請求項１ないし請求項３のいずれかに記載の眼鏡。
【請求項５】
上記スライダーは、傘状に拡径された傘部を有し、この傘部が傘部の材料の弾性力に抗して内側に変形して、上記スリーブの収容孔に挿入可能な退避姿勢と、抜け止め溝に係合する突出姿勢との間で変形可能に構成されていることを特徴とする請求項１ないし請求項４のいずれかに記載の眼鏡。
【請求項６】
上記ロッドは、内側に変形して上記スリーブの収容孔に挿入可能な退避姿勢となったスライダーの変形部分を収容する退避溝を備えていることを特徴とする請求項４または請求項５のいずれかに記載の眼鏡。
【請求項７】
上記アーム部は上記ロッドの基端を挿入する挿入孔と、アーム部の表面からこの挿入孔に達するピン孔とを有し、
上記ロッドは、ロッドの基端が上記アーム部の挿入孔に挿入された状態で、ロッドの基端に設けられた係合溝と、アーム部のピン孔に嵌合されるピンの先端とが係合してアーム部に連結されるように構成されていることを特徴とする請求項１ないし請求項６のいずれかに記載の眼鏡。
【請求項８】
上記テンプルは、形状記憶合金によって形成されていることを特徴とする請求項１ないし請求項７のいずれかに記載の眼鏡。
【発明の詳細な説明】
【技術分野】
【０００１】
本発明は、テンプルを弾力的に外広がり姿勢にすることが可能なように構成された眼鏡に関するものである。
【背景技術】
【０００２】
一般に、眼鏡は、一対のレンズと、これら一対のレンズを連結するブリッジと、このブリッジと反対側のレンズの各側部にそれぞれ設けられた一対のテンプルとを備え、テンプルは、レンズに対して略直交する方向に延びる開放姿勢と、レンズに向けて折り畳まれた折畳み姿勢との間で回動自在に構成されている。
【０００３】
このような、眼鏡は、一般に開放姿勢から外側にはテンプルを回動させることができないので、顔面幅の大きな人が装着した場合には、テンプルが大きく広げられることになり、テンプルが塑性変形を起こしたり、著しい場合は金属疲労により破損してしまうなどの不具合があった。
【０００４】
そこで、最近ではテンプルを弾力的に外広がり姿勢にすることが可能な眼鏡が種々の開発されている。
【０００５】
例えば、特許文献１には、開放姿勢のテンプル６０の幅よりも頭部が大きい場合でも、テンプル６０が外広がり姿勢の状態になり、コイルスプリング７８の付勢力によって頭部に装着することができる眼鏡１０の技術が開示されている。
【特許文献１】実用新案登録第３０７８１７１号
【発明の開示】
【発明が解決しようとする課題】
【０００６】
しかしながら、上述の特許文献１に開示された眼鏡１０では、テンプル６０の周りの組み立てに際してコイルスプリング７８の一端に矢尻突起６１ｂを、他端に介設片７７を係止するという作業が必要であり、必ずしも組み立てが容易な眼鏡とは言えなかった。
【０００７】
本発明は上記不具合に鑑みてなされたものであり、コイルスプリングの弾性力により、テンプルを外広がり姿勢から開放姿勢にもどす付勢力を働かせることができるだけでなく、このテンプルの付勢機構の組み立て作業を容易に行うことができる眼鏡を提供することを課題としている。
【課題を解決するための手段】
【０００８】
上記課題を解決するための本発明は、一対のレンズと、これら一対のレンズを連結するブリッジと、このブリッジと反対側のレンズの各側部にそれぞれ設けられた一対のテンプルとを備えた眼鏡であって、上記レンズの各側部にそれぞれ設けられた一対のテンプルベースと、このテンプルベースに設けられたレンズ側ヒンジ部と、このレンズ側ヒンジ部に対して連結軸を介して回動可能に連結されたテンプル側ヒンジ部と、このテンプル側ヒンジ部に設けられ、テンプルの基部に設けられたスリーブの収容孔に摺動可能に挿入されるアーム部と、このアーム部に基端が連結されるとともに、先端に拡径した頭部が設けられた棒状のロッドと、このロッドの周囲に巻回されるようにして設けられるとともに、一方の端部がロッドの頭部に内側から当接してロッドから抜けないように規制されたコイルスプリングと、このコイルスプリングの他方の端部に当接するとともに、ロッドに沿ってロッドの長手方向にスライド可能な筒状のスライダーと、を備え、上記テンプルの基部に設けられたスリーブは、ロッドと、コイルスプリングと、スライダーとをスリーブの収容孔に収納するとともに、このスリーブとスライダーとの間に設けられ、スリーブがアーム部から離脱することを規制する抜け止め手段を有し、上記テンプルベースは、テンプルがレンズに対して略直交する方向に延びる開放姿勢にある状態で、テンプルの基端部に当接する当接部をレンズ側ヒンジ部とテンプル側ヒンジ部との間に設けられた連結軸の外方に有し、テンプルがテンプルの基端部とテンプルベースの当接部との接点を中心にして開放姿勢からさらに外方に向けて回動した外広がり姿勢になった状態で、スリーブがロッドに対してロッドの先端方向に変位するとともにスライダーを介してコイルスプリングを圧縮するように構成されていることを特徴とする眼鏡である。
【０００９】
本発明によれば、レンズ側ヒンジ部と、テンプル側ヒンジ部とが連結軸を介して回動可能に連結されており、テンプルがテンプルの基端部とテンプルベースの当接部との接点を中心にして開放姿勢からさらに外方に向けて回動した外広がり姿勢になることが可能である。この時、テンプルがこの外広がり姿勢になった状態では、スリーブがロッドの先端方向に摺動するとともにスライダーを介してコイルスプリングを圧縮するので、この圧縮されたコイルスプリングの弾性力により、スリーブをテンプル側ヒンジ部に対して変位させる力が働き、テンプルを外広がり姿勢から開放姿勢に付勢することができる。
【００１０】
このように、テンプルが弾力的に外広がり姿勢になることが可能であるので、開放姿勢のテンプルに外側に向かう大きな力が加わってもテンプルの基端部に大きな集中応力が生じることはなく、金属疲労などによるテンプルの破損を確実に防止することができる。
【００１１】
また、開放姿勢のテンプルの幅よりも頭部が大きい場合でも、テンプルが外広がり姿勢の状態になり、コイルスプリングの付勢力によって眼鏡を頭部に装着することができるので、顔面幅の個人差に柔軟に対応することができる結果、眼鏡が汎用性に富んだものになる。また、コイルスプリングの付勢力によって適度に柔らかい装着感を得ることができ、快適である。
【００１２】
また、本発明によれば、このようなコイルスプリングの付勢機構が収容孔に収納されて外部に露出することがないだけでなく、スリーブがアーム部から離脱することを規制する抜け止め手段が設けられているので、スリーブに付勢機構を挿入するだけで、このように弾力的に外広がり姿勢にすることができる快適な眼鏡を容易に組み立てることができる。
【００１３】
ここで、上記コイルスプリングは、テンプルが上記開放姿勢にあり、テンプルの基端部とテンプルベースの当接部とが当接した状態で、圧縮されてスライダーとスリーブとを介してテンプルの基端部をテンプルベースの当接部に押圧する付勢力を有するように構成されていることが好ましい。
【００１４】
このようにすれば、テンプルが開放姿勢の状態において、テンプルの基端部がテンプルベースの当接部に押圧されるので、この開放姿勢の状態でテンプルがテンプルベースに対してがたついたりすることがなく、開放姿勢を安定したものに維持することができる。
【００１５】
また、上記テンプル側ヒンジ部は、少なくともテンプルがレンズに向けて折り畳まれた折畳み姿勢の状態で、スリーブの端部に当接して、スリーブのテンプル側ヒンジ部の方向への変位を規制する規制部を有し、上記コイルスプリングは、テンプルがこの折畳み姿勢の状態にあり、スリーブの端部がテンプル側ヒンジ部の規制部に規制された状態で、圧縮されてスライダーとスリーブとを介してスリーブの端部をテンプル側ヒンジ部の規制部に押圧する付勢力を有するように構成されていることが好ましい。
【００１６】
このようにすれば、少なくともテンプルがレンズに向けて折り畳まれた折畳み姿勢の状態では、スリーブの端部とテンプル側ヒンジ部の規制部とが当接して、開放状態となってテンプルの基端部とテンプルベースの当接部とが当接し、スリーブの端部が規制部から離間した状態にならない限りは、テンプルを回動させる付勢力がテンプルに働かないので、テンプルを抵抗なくスムーズに回動させることができる。
【００１７】
また、上記抜け止め手段は、上記収容孔の内壁に設けられた抜け止め溝と、上記スライダーに設けられた突起部とが係合してスライダーがスリーブから離脱することを規制するものであり、上記スライダーの突起部は、抜け止め溝に係合する突出姿勢と、構成する材料の弾性力に抗して内側に変形して、上記スリーブの収容孔に挿入可能な退避姿勢との間で変形可能に構成されていることが好ましい。
【００１８】
このようにすれば、収容孔の内壁に設けられた抜け止め溝と、スライダーに設けられた突起部とを係合させるという簡単な構成でスライダーがスリーブから離脱することを確実に規制することができるので製造コストが安価で信頼性が高い抜け止め手段を実現することができる。
【００１９】
また、上記スライダーは、傘状に拡径された傘部を有し、この傘部が傘部の材料の弾性力に抗して内側に変形して、上記スリーブの収容孔に挿入可能な退避姿勢と、抜け止め溝に係合する突出姿勢との間で変形可能に構成されていることが好ましい。
【００２０】
このようにすれば、スライダーにおいて、傘状に拡径された傘部が傘部の材料の弾性力に抗して内側に変形して、スリーブの収容孔に挿入可能な退避姿勢と、抜け止め溝に係合する突出姿勢との間で変形可能に構成されているので、スライダーを変形させて退避姿勢にすることでスライダーをスリーブの収容孔に容易に挿入することができる。また、収容孔の内壁に設けられた抜け止め溝と突出姿勢になった傘部とを係合させるという簡単な構成でスライダーがスリーブから離脱することを確実に規制することができるのでより製造コストが安価で信頼性が高い抜け止め手段を実現することができる。
【００２１】
また、上記ロッドは、内側に変形して上記スリーブの収容孔に挿入可能な退避姿勢となったスライダーの変形部分を収容する退避溝を備えていることが好ましい。
【００２２】
このようにすれば、ロッドが、内側に変形してスリーブの収容孔に挿入可能な退避姿勢となったスライダーの変形部分を収容する退避溝を備えているので、スライダーを変形させて退避姿勢にすることが容易となり、スライダーをスリーブの収容孔により容易に挿入することができるようになる。
【００２３】
また、上記アーム部は上記ロッドの基端を挿入する挿入孔と、アーム部の表面からこの挿入孔に達するピン孔とを有し、上記ロッドは、ロッドの基端が上記アーム部の挿入孔に挿入された状態で、ロッドの基端に設けられた係合溝と、アーム部のピン孔に嵌合されるピンの先端とが係合してアーム部に連結されるように構成されていることが好ましい。
【００２４】
このようにすれば、ロッドの基端がアーム部の挿入孔に挿入された状態で、ロッドの基端に設けられた係合溝と、アーム部のピン孔に嵌合されるピンの先端とが係合されるという簡単な構成でロッドが、アーム部に確実に連結されるので、製造コストが安価で信頼性が高い抜け止め手段を実現することができる。
【００２５】
また、上記テンプルは、形状記憶合金によって形成されていることが好ましい。
【００２６】
このようにすれば、テンプルが、形状記憶合金によって形成されているので、各テンプル間を大きく拡幅しても塑性変形するような不都合が生じない。
【００２７】
また、眼鏡を着用した際、形状記憶合金からなるテンプルの弾性変形の復元力と、ヒンジに設けられた付勢手段との双方によって眼鏡が頭部に装着されるため、装着感が柔らかくて快適でありながらが確実な外れ止め作用が得られる。
【発明の効果】
【００２８】
以上説明したように、本発明によれば、コイルスプリングの弾性力により、テンプルを外広がり姿勢から開放姿勢にもどす付勢力を働かせることができるだけでなく、このテンプルの付勢機構の組み立て作業を容易に行うことができるという顕著な効果を奏する。
【発明を実施するための最良の形態】
【００２９】
以下、添付図面を参照しながら本発明の好ましい実施の一形態について詳述する。図１は本発明の実施の形態に係る眼鏡１の構成を示す斜視図であり、図２は眼鏡１の連結部６の構成を示す分解斜視図である。また、図３は、眼鏡１の連結部６の構成を示す分解側面図であり、図４は、ロッドの基端が、アーム部に連結された状態の連結部の側面図を示している。また、図５は、ロッド９と、コイルスプリング１０と、スライダー１１とがスリーブ７の収容孔７ａに収納され、テンプル３がレンズ２に対して略直交する方向に延びる開放姿勢にある状態の連結部の側面図を示している。
【００３０】
図１を参照して、図示の本発明の実施の形態に係る眼鏡１は、一対のレンズ２と、これら一対のレンズ２を連結するブリッジ２ｄと、このブリッジ２ｄと反対側のレンズ２の各側部にそれぞれ設けられた一対のテンプル３と、モダン部４とを備えた眼鏡１であって、レンズ２の各側部にそれぞれ設けられた一対のテンプルベース２ｂと、ヒンジ部５と、連結部６とを備えている。
【００３１】
上記レンズ２は、本実施形態では、近視や遠視などに対応して光学ガラスもしくは光学プラスチックなどからなる凹レンズあるいは凸レンズが用いられている。これら左右のレンズ２は、縁部をレンズフレーム２ａに支持されている。このレンズフレーム２ａは、本実施形態では、細い部材で強度を高くすることができるものとして軽量金属の合金が用いられ、レンズ２の周縁を支持するように構成されている。また、このレンズフレーム２ａには、レンズ２の側方においてＬ字状に形成された金属製部材であるテンプルベース２ｂが設けられている。
【００３２】
上記テンプル３は、このテンプルベース２ｂに設けられたヒンジ部５を介してレンズ２に対して折り畳み可能に設けられた細長の棒状もしくは板状の部材であり、人体の頭部のこめかみに沿って装着されるものである。このテンプル３は、本実施形態では、十分な強度をもった細長の棒状もしくは板状の形状記憶合金によって形成されている。
【００３３】
上記モダン部４は、テンプル３の先端に設けられ、人体の耳の基部に沿って装着されるものであり、蔓状に湾曲する形状に形成される。本実施形態では、耳に対する感触を良好にするために、テンプル３の材質である形状記憶合金よりも熱伝導率が低い合成樹脂でテンプル３の先端を覆うように設けられ、荷重を集中させることない滑らかな形状に形成されている。
【００３４】
上記ヒンジ部５は、図２と図３とに示すように、テンプルベース２ｂに設けられたそれぞれ金属製のレンズ側ヒンジ部５ａと、このレンズ側ヒンジ部５ａに対して連結軸５ｂを介して回動可能に連結されたテンプル側ヒンジ部５ｃとを有している。
【００３５】
また、上記連結部６は、このテンプル側ヒンジ部５ｃに設けられ、テンプル３の基部に設けられたスリーブ７の収容孔７ａ（図３）に摺動可能に挿入される金属製のアーム部８と、このアーム部８に基端が連結されるとともに、先端に拡径した頭部９ａが設けられた金属製の棒状のロッド９と、このロッド９の周囲に巻回されるようにして設けられるとともに、一方の端部がロッド９の頭部９ａに内側から当接してロッド９から抜けないように規制されたコイルスプリング１０と、このコイルスプリング１０の他方の端部に当接するとともに、ロッド９に沿ってロッド９の長手方向にスライド可能なプラスチック製の筒状のスライダー１１とを備えている。
【００３６】
ここで、アーム部８はロッド９の基端を挿入する挿入孔８ａと、アーム部８の表面からこの挿入孔８ａに達するピン孔８ｂとを有し、ロッド９は、ロッド９の基端が上記アーム部８の挿入孔８ａに挿入された状態で、ロッド９の基端に設けられた係合溝９ｂと、アーム部８のピン孔８ｂに嵌合される金属製のピン８ｃ（図２）の先端とが係合してアーム部８に連結されるように構成されている。
【００３７】
また、テンプル３の基部に設けられたスリーブ７は、図５に示すように、ロッド９と、コイルスプリング１０と、スライダー１１とをスリーブ７の収容孔７ａに収納するように構成されているが、ここで、このスリーブ７とスライダー１１との間には、スリーブ７がアーム部８から離脱することを規制する抜け止め手段１２が設けられている。
【００３８】
この抜け止め手段１２は、収容孔７ａの内壁に設けられた抜け止め溝１２ａと、スライダー１１に設けられた突起部１２ｂとが係合してスライダー１１がスリーブ７から離脱することを規制するものであり、スライダー１１の突起部１２ｂは、抜け止め溝１２ａに係合する突出姿勢と、構成する材料の弾性力に抗して内側に変形して、スリーブ７の収容孔７ａに挿入可能な退避姿勢との間で変形可能に構成されている。
【００３９】
すなわち、スライダー１１は、傘状に拡径された傘部１１ａを有し、この傘部１１ａが傘部１１ａの材料の弾性力に抗して内側に変形して、スリーブ７の収容孔７ａに挿入可能な退避姿勢と、抜け止め溝１２ａに係合する突出姿勢との間で変形可能に構成されている。
【００４０】
また、ロッド９は、内側に変形してスリーブ７の収容孔７ａに挿入可能な退避姿勢となったスライダー１１の変形部分を収容する退避溝９ｃを備えている。
【００４１】
また、テンプルベース２ｂは、テンプル３がレンズ２に対して略直交する方向に延びる開放姿勢にある状態（図５）で、テンプル３の基端部３ａに当接する当接部２ｃをレンズ側ヒンジ部５ａとテンプル側ヒンジ部５ｃとの間に設けられた連結軸５ｂの外方に有している。
【００４２】
そして、コイルスプリング１０は、テンプル３がこの開放姿勢（図５）にあり、テンプル３の基端部３ａとテンプルベース２ｂの当接部２ｃとが当接した状態で、圧縮されてスライダー１１とスリーブ７とを介してテンプル３の基端部３ａをテンプルベース２ｂの当接部２ｃに押圧する付勢力を有するように構成されている。
【００４３】
ここで、図６は、テンプル３が外広がり姿勢になった状態の連結部の側面図を示している。
【００４４】
図６に示すように、スリーブ７は、テンプル３がテンプル３の基端部３ａとテンプルベース２ｂの当接部２ｃとの接点を中心にして開放姿勢からさらに外方に向けて回動した外広がり姿勢になった状態（図６）で、ロッド９に対してロッド９の先端方向に変位してスライダー１１を介してコイルスプリング１０を圧縮するようになっている。
【００４５】
また、図７は、テンプル３が折畳み姿勢の状態の連結部の側面図を示している。
【００４６】
図７に示すように、テンプル側ヒンジ部５ｃは、少なくともテンプル３がレンズ２に向けて折り畳まれた折畳み姿勢の状態（図７）で、スリーブ７の端部７ｂに当接して、スリーブ７のテンプル側ヒンジ部５ｃの方向への変位を規制する規制部５ｄを有し、コイルスプリング１０は、テンプル３がこの折畳み姿勢の状態にあり、スリーブ７の端部７ｂがテンプル側ヒンジ部５ｃの規制部５ｄに規制された状態で、圧縮されてスライダー１１とスリーブ７とを介してスリーブ７の端部７ｂをテンプル側ヒンジ部５ｃの規制部５ｄに押圧する付勢力を有するように構成されている。
【００４７】
次に図３〜図７を参照して、本発明の実施の形態に係る眼鏡１の作用について説明する。
【００４８】
図３と図４とに示すように、ロッド９は、その基端がアーム部８の挿入孔８ａに挿入され、ロッド９の基端に設けられた係合溝９ｂと、アーム部８のピン孔８ｂに嵌合されるピン８ｃ（図２）の先端とが係合することにより、アーム部８に連結される。
【００４９】
この時、コイルスプリング１０は、あらかじめロッド９の周囲に巻回されるようにして組み立てられており、一方の端部がロッド９の頭部９ａに内側から当接してロッド９から抜けないように規制されている。また、筒状のスライダー１１が、コイルスプリング１０の他方の端部に当接するとともにロッド９に沿ってロッド９の長手方向にスライドするようになっている。
【００５０】
また、図５に示すように、アーム部８は、テンプル３の基部に設けられたスリーブ７の収容孔７ａに摺動しながら挿入されるが、挿入される際、スライダー１１の傘部１１ａが傘部１１ａの材料の弾性力に抗して内側に変形して、スリーブ７の収容孔７ａに挿入可能な退避姿勢に変形する。また、この時、内側に変形してスリーブ７の収容孔７ａに挿入可能な退避姿勢となったスライダー１１の変形部分は、ロッド９の退避溝９ｃに収容される。
【００５１】
そして、アーム部８が、スリーブ７の収容孔７ａに挿入されてテンプルベース２ｂの当接部２ｃが、連結軸５ｂの外方においてテンプル３の基端部３ａに当接したら、スライダー１１の傘部１１ａが傘部１１ａの材料の弾性力により、突出姿勢に戻り、収容孔７ａの内壁に設けられた抜け止め溝１２ａと係合してスライダー１１がスリーブ７から離脱することが規制される。
【００５２】
このように、スリーブ７とスライダー１１との間に設けられた抜け止め手段１２であるスライダー１１の突起部１２ｂと抜け止め溝１２ａとによりスリーブ７がアーム部８から離脱することが規制される。
【００５３】
なお、このようにテンプル３がレンズ２に対して略直交する方向に延びる開放姿勢にあり、テンプル３の基端部３ａとテンプルベース２ｂの当接部２ｃとが当接した状態で、コイルスプリング１０は、圧縮されてスライダー１１とスリーブ７とを介してテンプル３の基端部３ａをテンプルベース２ｂの当接部２ｃに押圧するように調整され、この状態で眼鏡１は、テンプル３が人体の頭部９ａのこめかみに沿うように装着される。
【００５４】
そして、図６に示すように、テンプル３がテンプル３の基端部３ａとテンプルベース２ｂの当接部２ｃとの接点を中心にして開放姿勢からさらに外方に向けて回動した外広がり姿勢になった状態では、スリーブ７がロッド９に対してロッド９の先端方向に変位するとともにスライダー１１を介してコイルスプリング１０を圧縮する。そのため、この圧縮されたコイルスプリング１０の弾性力により、スリーブ７をテンプル側ヒンジ部５ｃに対して変位させる力が働き、テンプル３を外広がり姿勢から開放姿勢に付勢するようになっている。
【００５５】
また、図７に示すように、テンプル３がレンズ２に向けて折り畳まれた折畳み姿勢の状態では、テンプル側ヒンジ部５ｃの規制部５ｄが、スリーブ７の端部７ｂに当接して、スリーブ７のテンプル側ヒンジ部５ｃの方向への変位が規制される。
【００５６】
この時、コイルスプリング１０は、圧縮されているが、スライダー１１とスリーブ７とを介してスリーブ７の端部７ｂがテンプル側ヒンジ部５ｃの規制部５ｄに押圧されるので、テンプル３とテンプルベース２ｂとの間には付勢力は働かず、テンプル３はテンプルベース２ｂに対してスムースに回動させることができる。
【００５７】
以上説明したように、本発明の実施の形態に係る眼鏡１によれば、レンズ側ヒンジ部５ａと、テンプル側ヒンジ部５ｃとが連結軸５ｂを介して回動可能に連結されており、テンプル３がテンプル３の基端部３ａとテンプルベース２ｂの当接部２ｃとの接点を中心にして開放姿勢からさらに外方に向けて回動した外広がり姿勢になることが可能である。この時、テンプル３がこの外広がり姿勢になった状態では、スリーブ７がロッド９の先端方向に摺動するとともにスライダー１１を介してコイルスプリング１０を圧縮するので、この圧縮されたコイルスプリング１０の弾性力により、スリーブ７をテンプル側ヒンジ部５ｃに対して変位させる力が働き、テンプル３を外広がり姿勢から開放姿勢に付勢することができる。
【００５８】
また、テンプル３が弾力的に外広がり姿勢になることが可能であるので、開放姿勢のテンプル３に外側に向かう大きな力が加わってもテンプル３の基端部３ａに大きな集中応力が生じることはなく、金属疲労などによるテンプル３の破損を確実に防止することができる。
【００５９】
また、開放姿勢のテンプル３の幅よりも頭部９ａが大きい場合でも、テンプル３が外広がり姿勢の状態になり、コイルスプリング１０の付勢力によって眼鏡１を頭部９ａに装着することができるので、顔面幅の個人差に柔軟に対応することができる結果、眼鏡１が汎用性に富んだものになる。また、コイルスプリング１０の付勢力によって適度に柔らかい装着感を得ることができ、快適である。
【００６０】
そして、本発明によれば、このようなコイルスプリング１０の付勢機構が収容孔７ａに収納されて外部に露出することがないだけでなく、スリーブ７がアーム部８から離脱することを規制する抜け止め手段１２が設けられているので、スリーブ７に付勢機構を挿入するだけで、このように弾力的に外広がり姿勢にすることができる快適な眼鏡１を容易に組み立てることができる。
【００６１】
また、テンプル３が開放姿勢の状態において、テンプル３の基端部３ａがテンプルベース２ｂの当接部２ｃに押圧されるので、この開放姿勢の状態でテンプル３がテンプルベース２ｂに対してがたついたりすることがなく、開放姿勢を安定したものに維持することができる。
【００６２】
さらに、少なくともテンプル３がレンズ２に向けて折り畳まれた折畳み姿勢の状態では、スリーブ７の端部７ｂとテンプル側ヒンジ部５ｃの規制部５ｄとが当接して、開放状態となってテンプル３の基端部３ａとテンプルベース２ｂの当接部２ｃとが当接し、スリーブ７の端部７ｂが規制部５ｄから離間した状態にならない限りは、テンプル３を回動させる付勢力がテンプル３に働かないので、テンプル３を抵抗なくスムーズに回動させることができる。
【００６３】
また、収容孔７ａの内壁に設けられた抜け止め溝１２ａと、スライダー１１に設けられた突起部１２ｂとを係合させるという簡単な構成でスライダー１１がスリーブ７から離脱することを確実に規制することができるので製造コストが安価で信頼性が高い抜け止め手段１２を実現することができる。
【００６４】
特に、スライダー１１において、傘状に拡径された傘部１１ａが傘部１１ａの材料の弾性力に抗して内側に変形して、スリーブ７の収容孔７ａに挿入可能な退避姿勢と、抜け止め溝１２ａに係合する突出姿勢との間で変形可能に構成されているので、スライダー１１を変形させて退避姿勢にすることでスライダー１１をスリーブ７の収容孔７ａに容易に挿入することができる。また、収容孔７ａの内壁に設けられた抜け止め溝１２ａと突出姿勢になった傘部１１ａとを係合させるという簡単な構成でスライダー１１がスリーブ７から離脱することを確実に規制することができるのでより製造コストが安価で信頼性が高い抜け止め手段１２を実現することができる。
【００６５】
また、ロッド９が、内側に変形してスリーブ７の収容孔７ａに挿入可能な退避姿勢となったスライダー１１の変形部分を収容する退避溝９ｃを備えているので、スライダー１１を変形させて退避姿勢にすることが容易となり、スライダー１１をスリーブ７の収容孔７ａにより容易に挿入することができるようになる。
【００６６】
また、ロッド９の基端がアーム部８の挿入孔８ａに挿入された状態で、ロッド９の基端に設けられた係合溝９ｂと、アーム部８のピン孔８ｂに嵌合されるピン８ｃの先端とが係合されるという簡単な構成でロッド９が、アーム部８に確実に連結されるので、製造コストが安価で信頼性が高い抜け止め手段１２を実現することができる。
【００６７】
さらに、テンプル３が、形状記憶合金によって形成されているので、各テンプル３の間を大きく拡幅しても塑性変形するような不都合が生じない。
【００６８】
また、眼鏡１を着用した際、形状記憶合金からなるテンプル３の弾性変形の復元力と、ヒンジに設けられた付勢手段との双方によって眼鏡１が頭部９ａに装着されるため、装着感が柔らかくて快適でありながらが確実な外れ止め作用が得られる。
【００６９】
上述した実施の形態は本発明の好ましい具体例を例示したものに過ぎず、本発明は上述した実施の形態に限定されない。
【００７０】
例えば、レンズ２は、本実施形態では、近視や遠視などに対応して光学ガラスもしくは光学プラスチックなどからなる凹レンズあるいは凸レンズが用いられているが、必ずしもこれらの材質、形状に限定されない。曲率がなく度数のない平行平板の形状に形成されたもの、サングラスに用いられるレンズのように着色されたもの、用途に応じた低価格のプラスチックなど、レンズ２材料、形状などは種々の設計変更が可能である。
【００７１】
レンズフレーム２ａも、本実施形態では、軽量金属の合金で構成されているが、プラスチック、ステンレスなど、種々の材料が採用可能である。また、本実施形態では、レンズフレーム２ａが、レンズ２の周縁全体を囲繞するように構成されているが、２つのレンズ２の縁部を支持する部材であれば、レンズ２の上半分だけに設けられるものであっても採用可能であるなど、形状も種々の設計変更が可能である。
【００７２】
テンプル３も、本実施形態では、軽量金属の合金からなる細長の棒状もしくは板状の部材で構成されているが、プラスチック、ステンレスなど、種々の材料が採用可能である。また、形状も幅の広い板状の部材など種々の設計変更が可能である。
【００７３】
モダン部４も、図示のように必ずしもテンプル３と別の部材として構成することに限定されない。テンプル３の先端に設けられ、人体の耳の基部に沿って装着されるものであればテンプル３の延長部分としてテンプル３と同じ部材で一体に形成されることも可能である。
【００７４】
また、スライダー１１は、傘状に拡径された傘部１１ａを有するものに限定されない。突起部１２ｂを有し、抜け止め溝１２ａに係合する突出姿勢と、構成する材料の弾性力に抗して内側に変形して、スリーブ７の収容孔７ａに挿入可能な退避姿勢との間で変形可能に構成されているものであれば、種々の設計変更が可能である。
【００７５】
また、ロッド９の退避溝９ｃも必須ではない。スライダー１１が、内側に変形してスリーブ７の収容孔７ａに挿入可能な退避姿勢になることができるのであれば、省略可能である。
【００７６】
このように、抜け止め手段１２としては、必ずしも収容孔７ａの内壁に設けられた抜け止め溝１２ａと、スライダー１１に設けられた突起部１２ｂと、ロッド９の退避溝９ｃとを備えたものに限定されない。スライダー１１がスリーブ７から離脱することを規制するものであれば、種々の設計変更が可能である。
【００７７】
また、眼鏡１の連結部６の構成も、必ずしも図示の形状に限定されない。例えば、図８は、第１の変形例に係る連結部２６の構成を示す説明図である。なお以下の説明では、眼鏡１と同様の部材には同一の符号を付し、重複する説明を省略するものとする。
【００７８】
図８に示すように、第１の変形例に係る連結部２６は、金属製のアーム部２８と、このアーム部２８に基端が連結されるとともに、先端に拡径した頭部２９ａが設けられた金属製の棒状のロッド２９と、このロッド２９の周囲に巻回されるようにして設けられるとともに、一方の端部がロッド２９の頭部２９ａに内側から当接してロッド２９から抜けないように規制されたコイルスプリング２０と、このコイルスプリング２０の他方の端部に当接するとともに、ロッド２９に沿ってロッド２９の長手方向にスライド可能なリング状のスライダー２１とを備えている。
【００７９】
また、テンプル３の基部に設けられたスリーブ２７は、ロッド２９と、コイルスプリング２０と、スライダー２１とをスリーブ２７の収容孔２７ａに収納するように構成されているが、ここで、このスリーブ２７とスライダー２１との間には、スリーブ２７がアーム部２８から離脱することを規制する抜け止め手段２２が設けられている。
【００８０】
この抜け止め手段２２は、収容孔２７ａの内壁に設けられた突起部２２ｂと、スライダー２１とが係合してスライダー２１がスリーブ２７から離脱することを規制するものである。
【００８１】
また、図９は、第２の変形例に係る連結部３６の構成を示す断面図である。図９に示すように、第２の変形例に係る連結部３６は、金属製のアーム部３８と、このアーム部３８に基端が連結されるとともに、先端に拡径した頭部３９ａが設けられた金属製の棒状のロッド３９と、このロッド３９の周囲に巻回されるようにして設けられるとともに、一方の端部がロッド２９の頭部２９ａに内側から当接してロッド２９から抜けないように規制されたコイルスプリング３０と、このコイルスプリング３０の他方の端部に当接するとともに、ロッド３９に沿ってロッド３９の長手方向にスライド可能なリング状のスライダー３１とを備えている。
【００８２】
また、テンプル３の基部に設けられたスリーブ３７は、ロッド３９と、コイルスプリング３０と、スライダー３１とをスリーブ３７の収容孔３７ａに収納するように構成されているが、ここで、このスリーブ３７とスライダー３１との間には、スリーブ３７がアーム部３８から離脱することを規制する抜け止め手段３２が設けられている。
【００８３】
この抜け止め手段３２は、収容孔３７ａの内壁に設けられた三角コマ３２ｂと、スライダー３１とが係合してスライダー３１がスリーブ３７から離脱することを規制するものである。
【００８４】
その他、本発明の特許請求の範囲内で種々の設計変更が可能であることはいうまでもない。
【図面の簡単な説明】
【００８５】
【図１】本発明の実施の形態に係る眼鏡の構成を示す斜視図である。
【図２】本発明の実施の形態に係る眼鏡の連結部の構成を示す分解斜視図である。
【図３】連結部の構成を示す分解側面図である。
【図４】ロッドの基端が、アーム部に連結された状態の連結部の側面図を示している。
【図５】ロッドと、コイルスプリングと、スライダーとがスリーブの収容孔に収納され、テンプルがレンズに対して略直交する方向に延びる開放姿勢にある状態の連結部の側面図を示している。
【図６】テンプルが外広がり姿勢になった状態の連結部の側面図を示している。
【図７】テンプルが折畳み姿勢の状態の連結部の側面図を示している。
【図８】第１の変形例に係る連結部の構成を示す説明図である。
【図９】第２の変形例に係る連結部の構成を示す断面図である。
【符号の説明】
【００８６】
１    眼鏡
２    レンズ
２ｂ  テンプルベース
２ｃ  当接部
２ｄ  ブリッジ
３    テンプル
５ａ  レンズ側ヒンジ部
５ｂ  連結軸
５ｃ  テンプル側ヒンジ部
５ｄ  規制部
７    スリーブ
７ａ  収容孔
８    アーム部
８ａ  挿入孔
８ｂ  ピン孔
８ｃ  ピン
９    ロッド
９ａ  頭部
９ｂ  係合溝
９ｃ  退避溝
１０    コイルスプリング
１１    スライダー
１１ａ  傘部
１２    抜け止め手段
１２ａ  抜け止め溝
１２ｂ  突起部
【図１】
2008003138.tif 000003
【図２】
2008003138.tif 000004
【図３】
2008003138.tif 000005
【図４】
2008003138.tif 000006
【図５】
2008003138.tif 000007
【図６】
2008003138.tif 000008
【図７】
2008003138.tif 000009
【図８】
2008003138.tif 000010
【図９】
2008003138.tif 000011
【手続補正書】
【提出日】平成19年7月17日(2007.7.17)
【手続補正１】
【補正対象書類名】特許請求の範囲
【補正対象項目名】全文
【補正方法】変更
【補正の内容】
【特許請求の範囲】
【請求項１】
一対のレンズと、これら一対のレンズを連結するブリッジと、このブリッジと反対側のレンズの各側部にそれぞれ設けられた一対のテンプルとを備えた眼鏡であって、
上記レンズの各側部にそれぞれ設けられた一対のテンプルベースと、
このテンプルベースに設けられたレンズ側ヒンジ部と、
このレンズ側ヒンジ部に対して連結軸を介して回動可能に連結されたテンプル側ヒンジ部と、
このテンプル側ヒンジ部に設けられ、テンプルの基部に設けられたスリーブの収容孔に摺動可能に挿入されるアーム部と、
このアーム部に基端が連結されるとともに、先端に拡径した頭部が設けられた棒状のロッドと、
このロッドの周囲に巻回されるようにして設けられるとともに、一方の端部がロッドの頭部に内側から当接してロッドから抜けないように規制されたコイルスプリングと、
このコイルスプリングの他方の端部に当接するとともに、ロッドに沿ってロッドの長手方向にスライド可能な筒状のスライダーと、
を備え、
上記テンプルの基部に設けられたスリーブは、ロッドと、コイルスプリングと、スライダーとをスリーブの収容孔に収納するとともに、このスリーブとスライダーとの間に設けられ、スリーブがアーム部から離脱することを規制する抜け止め手段を有し、
上記テンプルベースは、テンプルがレンズに対して略直交する方向に延びる開放姿勢にある状態で、テンプルの基端部に当接する当接部をレンズ側ヒンジ部とテンプル側ヒンジ部との間に設けられた連結軸の外方に有し、
テンプルがテンプルの基端部とテンプルベースの当接部との接点を中心にして開放姿勢からさらに外方に向けて回動した外広がり姿勢になった状態で、スリーブがロッドに対してロッドの先端方向に変位するとともにスライダーを介してコイルスプリングを圧縮するように構成されていることを特徴とする眼鏡。
【請求項２】
上記コイルスプリングは、テンプルが上記開放姿勢にあり、テンプルの基端部とテンプルベースの当接部とが当接した状態で、圧縮されてスライダーとスリーブとを介してテンプルの基端部をテンプルベースの当接部に押圧する付勢力を有するように構成されていることを特徴とする請求項１に記載の眼鏡。
【請求項３】
上記テンプル側ヒンジ部は、少なくともテンプルがレンズに向けて折り畳まれた折畳み姿勢の状態で、スリーブの端部に当接して、スリーブのテンプル側ヒンジ部の方向への変位を規制する規制部を有し、
上記コイルスプリングは、テンプルがこの折畳み姿勢の状態にあり、スリーブの端部がテンプル側ヒンジ部の規制部に規制された状態で、圧縮されてスライダーとスリーブとを介してスリーブの端部をテンプル側ヒンジ部の規制部に押圧する付勢力を有するように構成されていることを特徴とする請求項１または請求項２のいずれかに記載の眼鏡。
【請求項４】
上記抜け止め手段は、上記収容孔の内壁に設けられた抜け止め溝と、上記スライダーに設けられた突起部とが係合してスライダーがスリーブから離脱することを規制するものであり、
上記スライダーの突起部は、抜け止め溝に係合する突出姿勢と、構成する材料の弾性力に抗して内側に変形して、上記スリーブの収容孔に挿入可能な退避姿勢との間で変形可能に構成されていることを特徴とする請求項１ないし請求項３のいずれかに記載の眼鏡。
【請求項５】
上記スライダーは、傘状に拡径された傘部を有し、この傘部が傘部の材料の弾性力に抗して内側に変形して、上記スリーブの収容孔に挿入可能な退避姿勢と、抜け止め溝に係合する突出姿勢との間で変形可能に構成されていることを特徴とする請求項４に記載の眼鏡。
【請求項６】
上記ロッドは、内側に変形して上記スリーブの収容孔に挿入可能な退避姿勢となったスライダーの変形部分を収容する退避溝を備えていることを特徴とする請求項４または請求項５のいずれかに記載の眼鏡。
【請求項７】
上記アーム部は上記ロッドの基端を挿入する挿入孔と、アーム部の表面からこの挿入孔に達するピン孔とを有し、
上記ロッドは、ロッドの基端が上記アーム部の挿入孔に挿入された状態で、ロッドの基端に設けられた係合溝と、アーム部のピン孔に嵌合されるピンの先端とが係合してアーム部に連結されるように構成されていることを特徴とする請求項１ないし請求項６のいずれかに記載の眼鏡。
【請求項８】
上記テンプルは、形状記憶合金によって形成されていることを特徴とする請求項１ないし請求項７のいずれかに記載の眼鏡。